(57)【要約】【課題】利用者に対して確実に情報を届けることができる放送システムを提供する。【解決手段】異なる位置にそれぞれ固定設置され周囲に情報を発信できる複数の放送端末３と、放送端末３を指揮する管理装置２と、利用者が携帯する通信デバイス４と、を備え、管理装置２は、各放送端末３の位置情報と通信デバイス４の位置情報とを対応付けて管理し、放送端末３に指示情報を送信する。【選択図】図６
2020161870.tif 000002
【特許請求の範囲】
【請求項１】
異なる位置にそれぞれ固定設置され周囲に情報を発信できる複数の放送端末と、該放送端末を指揮する管理装置と、利用者が携帯する通信デバイスと、を備え、
前記管理装置は、各放送端末の位置情報と前記通信デバイスの位置情報とを対応付けて管理し、放送端末に指示情報を送信することを特徴とする放送システム。
【請求項２】
前記管理装置は、前記放送端末の放送可能範囲内に前記通信デバイスが位置することに基づいて予め記憶した指示情報を該放送端末に送信することを特徴とする請求項１に記載の放送システム。
【請求項３】
前記管理装置は、所定数以上の前記通信デバイスが前記放送端末の放送可能範囲内に位置することに基づいて予め記憶した指示情報を該放送端末に送信することを特徴とする請求項２に記載の放送システム。
【請求項４】
前記管理装置は、地図データを有しており、前記放送端末の位置情報と前記通信デバイスの位置情報とを前記地図データ上に一覧表示し、前記放送端末の位置情報は、前記操作画面上で選択可能となっていることを特徴とする請求項１に記載の放送システム。
【請求項５】
前記放送端末と前記通信デバイスとが無線通信可能となっていることを特徴とする請求項１ないし３のいずれかに記載の放送システム。
【請求項６】
前記通信デバイスは、位置情報を取得する位置情報取得手段を備えることを特徴とする請求項１ないし３のいずれかに記載の放送システム。
【請求項７】
前記放送端末は、設置されている位置情報を取得する位置情報取得手段を備えることを特徴とする請求項１ないし４のいずれかに記載の放送システム。
【発明の詳細な説明】
【技術分野】
【０００１】
本発明は、複数の放送端末から周囲に情報を配信する放送システムに関する。
【背景技術】
【０００２】
従来、ショッピングモールや遊園地などの大型施設には、電光掲示板やスピーカなどの放送端末が各所に固定設置されており、放送端末からイベント情報やマップ情報など利用者に有益な情報を発信する放送システムがある。このような放送システムは、無線通信網を利用して各放送端末が管理装置に接続されており、該管理装置により放送端末を制御するようになっている。
【０００３】
例えば、特許文献１に示される放送システムは、複数のスピーカが施設内の異なる位置に配置されており、これらのスピーカは管理装置に接続されている。管理者は、スピーカの設置時に該スピーカの識別番号と設置位置を対応付けて管理装置に記憶させ、その記憶させた情報に基づいて管理装置を操作することで、複数のスピーカのうち、音声を出力したい任意のスピーカを選択して音声を出力できるようになっている。
【０００４】
また、特許文献２のように、管理装置と広告ディスプレイ装置などの各放送端末が無線通信により接続され、有線通信に比べて放送端末の設置自由度が高くなっている放送システムもある。
【先行技術文献】
【特許文献】
【０００５】
【特許文献１】特開２００２−１７６６９９号公報（第３頁、第１図）
【特許文献２】特開２０１４−４４６０３号公報（第６頁、第１図）
【発明の概要】
【発明が解決しようとする課題】
【０００６】
特許文献１，２の放送システムにあっては、管理装置が任意の放送端末を選択して任意の放送端末のみから情報を発信したり、各放送端末に異なる情報を発信するなど、放送端末が配置されたエリアに応じた情報を発信できる点で有用である。しかしながら、特許文献１，２の放送システムにあっては、どのエリアに利用者がいるかを判別することができないので、利用者にとって有益な情報が利用者に届かない虞があった。
【０００７】
本発明は、このような問題点に着目してなされたもので、利用者に対して確実に情報を届けることができる放送システムを提供することを目的とする。
【課題を解決するための手段】
【０００８】
前記課題を解決するために、本発明の放送システムは、
異なる位置にそれぞれ固定設置され周囲に情報を発信できる複数の放送端末と、該放送端末を指揮する管理装置と、利用者が携帯する通信デバイスと、を備え、
前記管理装置は、各放送端末の位置情報と前記通信デバイスの位置情報とを対応付けて管理し、放送端末に指示情報を送信することを特徴としている。
この特徴によれば、管理装置は、放送端末の位置情報と通信デバイスの位置情報とを取得して対応付けて管理し、放送端末と通信デバイスとの位置関係に基づいて任意の放送端末に指示情報を送信することができるので、利用者に対して確実に情報を届けることができる。
【０００９】
前記管理装置は、前記放送端末の放送可能範囲内に前記通信デバイスが位置することに基づいて予め記憶した指示情報を該放送端末に送信することを特徴としている。
この特徴によれば、放送端末の放送可能範囲内に通信デバイスが位置したときに、管理装置から放送端末に指示情報が自動的に送信されるので、放送端末の放送を利用者に確実かつ簡便に届けることができる。
【００１０】
前記管理装置は、所定数以上の前記通信デバイスが前記放送端末の放送可能範囲内に位置することに基づいて予め記憶した指示情報を該放送端末に送信することを特徴としている。
この特徴によれば、放送端末の放送可能範囲内に位置する利用者の人数に応じた放送を行うことができる。
【００１１】
前記管理装置は、地図データを有しており、前記放送端末の位置情報と前記通信デバイスの位置情報とを前記地図データ上に一覧表示し、前記放送端末の位置情報は、前記操作画面上で選択可能となっていることを特徴としている。
この特徴によれば、管理者がどの位置に放送端末の周囲に利用者がいるかを視覚的に把握しやすい。
【００１２】
前記放送端末と前記通信デバイスとが無線通信可能となっていることを特徴としている。
この特徴によれば、通信デバイスの通信可能エリアが小さくて済むので、通信デバイスを安価な構成とすることができる。
【００１３】
前記通信デバイスは、位置情報を取得する位置情報取得手段を備えることを特徴としている。
この特徴によれば、通信デバイス自体が位置情報取得手段を備えているので、通信デバイスの位置情報を正確に取得することができる。
【００１４】
前記放送端末は、設置されている位置情報を取得する位置情報取得手段を備えることを特徴としている。
この特徴によれば、放送端末の設置位置の変更や増設しても管理装置が放送端末の新しい設置位置を確実に記憶できる。
【図面の簡単な説明】
【００１５】
【図１】本発明の実施例における放送システムを示す概略図である。
【図２】放送システムを示すブロック図である。
【図３】放送端末の構造を示す斜視図である。
【図４】通信デバイスの一例を示す説明図である。
【図５】（ａ）は放送端末情報テーブル、（ｂ）は通信デバイス情報テーブルを示す図である。
【図６】実施例における放送端末選択画面を示す図である。
【図７】同一エリアにいる複数の利用者のうち任意の利用者に特定の情報を発信する一例を示す図である。
【図８】変形例１における放送端末選択画面を示す図である。
【図９】変形例２における放送端末選択画面を示す図である。
【発明を実施するための形態】
【００１６】
本発明に係る放送システムを実施するための形態を実施例に基づいて以下に説明する。
【実施例１】
【００１７】
実施例に係る放送システムにつき、図１から図９を参照して説明する。尚、ここでいう放送とは、音声や画像などの情報を周囲の利用者に発信することを指す。
【００１８】
図１に示されるように、放送システム１は、例えば、遊園地に設置され、該遊園地内に点在して複数設置される放送端末３，３，…により、来場者に対して種々の情報を発信するものであり、放送端末３，３，…は、管理装置２により一元的に管理されている。本実施例における遊園地は、ジェットコースターエリアＡ１、観覧車エリアＡ２、メリーゴーランドエリアＡ３、レストランエリアＡ４、イベントエリアＡ５、ゴーカートエリアＡ６、キャンプエリアＡ７、管理棟エリアＡ８、正面ゲートエリアＡ９、駐車場エリアＡ１０がある。尚、本実施例では、放送システム１が利用される場所として遊園地を例示するが、例えば、ショッピングモールや駅構内、災害多発地域など様々な場所で利用してもよい。
【００１９】
図１及び図２に示されるように、放送システム１は、管理装置２と放送端末３，３，…と通信デバイス４，４，…とにより主に構成されている。管理装置２は、遊園地内の管理棟に設置されており、遊園地内の各所に固定的に設置される放送端末３，３，…と無線通信網により相互に通信可能に接続されている。尚、図２は、放送システム１の構成を概略的に示している。
【００２０】
具体的には、管理装置２は、管理コンピュータ２１と、ゲートウェイ装置２２と、から主に構成されている。管理コンピュータ２１は、通信部２１ａと、制御部２１ｂと、記憶部２１ｃと、を備えている。制御部２１ｂには、情報を表示する表示装置２３と、マウスやキーボードといった入力装置（図示略）と、通信部２１ａと、記憶部２１ｃと、が接続されているとともに、通信部２１ａを介してゲートウェイ装置２２と通信可能となっている。尚、通信部２１ａ及びゲートウェイ装置２２、制御部２１ｂ及び記憶部２１ｃは、インターネット網を介して接続されていてもよい。
【００２１】
図１〜図３に示されるように、放送端末３は、通信部３１と、制御部３２と、記憶部３３と、位置情報取得手段としてのＧＰＳ受信機３４と、出力装置としてスピーカ３５及びＬＥＤ照明３６と、バッテリー３８と、から主に構成されている。制御部３２には、上記各種装置が接続されているとともに、外部電源３７に接続されている。制御部３２は、通常時において外部電源３７から電力が供給されており、外部電源３７からの電力供給が停止した場合（停電時等）にはバッテリー３８から電力が供給されるように切り換わるようになっている。通信部３１は、アンテナであり（特に図３参照）、ゲートウェイ装置２２または他の放送端末３の少なくともいずれかとＰ２Ｐ通信を行えるようになっている。
【００２２】
上記のように、各放送端末３の通信部３１がゲートウェイ装置２２または他の放送端末３とＰ２Ｐ通信を行うことにより、管理装置２と放送端末３，３，…とが相互に通信可能な無線通信網が形成されている。具体的には、無線通信網は、各放送端末３，３，…が管理装置２との間の通信を中継するマルチホップ通信を用いたアドホックネットワークであり、専用の基地局を用いずに管理装置２と放送端末３，３，…とが相互に通信可能となっている。また、各放送端末３の通信部３１は、後述するように、通信可能エリア内に存在する通信デバイス４と近距離無線通信を行えるようになっている。
【００２３】
図３に示されるように、放送端末３は、例えば、遊園地内の各エリアＡ１〜Ａ１０にそれぞれ設置されている外部電源３７としての電柱に対してバンド６を用いて固定されている。放送端末３のスピーカ３５は、指向性の高い所謂ホーンスピーカであり、ＬＥＤ照明３６も蛍光灯などに比べて指向性が高く、かつホーンスピーカの傾斜した内壁により前方に集光されるため、限られたエリアに対して音声出力及び発光出力を行うことができるようになっている。また、放送端末３に電柱から電力を直接供給できるので配線を短くすることができる。
【００２４】
図２及び図４に示されるように、通信デバイス４は、利用者が入場時に渡されるカードであり、首から吊り下げて持ち運びできるようになっている。この通信デバイス４は、ＩＣチップ４ａが埋め込まれている。このＩＣチップ４ａには、通信デバイス４の識別情報が記憶されているとともに、ＧＰＳ受信機能（位置情報取得手段）を有している。尚、通信デバイス４は、利用者が携帯して持ち運び可能であれば、タブレット端末などの携帯情報端末であってもよい。
【００２５】
次いで、管理装置２と放送端末３，３，…との相互通信について図２に基づいて概略的に説明する。ここでは、管理装置２から離れた位置にある放送端末（ジェットコースターエリアＡ１に配置される放送端末）を放送端末３Ａとし、管理装置２と放送端末３Ａとの相互通信のみを説明する。
【００２６】
先ず、放送端末３Ａを新規に設置したときに、放送端末３Ａが設置された位置情報を管理装置２に送信する場合について説明する。
【００２７】
放送端末３Ａが設置されて外部電源３７により電力が供給されると、ＧＰＳ受信機３４が動作して放送端末３Ａの位置情報（座標）を取得する。ＧＰＳ受信機３４により取得された位置情報は、制御部３２により自身が所有する個体番号などの識別情報と対応付けられ、記憶部３３に記憶されるとともに、識別情報と対応付けられた位置情報は、通信部３１により送信される。前記位置情報は、通信部３１の通信可能エリアに存在する他の放送端末３を１つまたは複数経由して管理装置２に受信される。図５（ａ）に示されるように、管理装置２に受信された前記位置情報は、記憶部２１ｃの放送端末情報テーブルＴ１に記憶される。
【００２８】
次いで、管理装置２から放送端末３Ａに指示情報を送信する場合について説明する。尚、指示情報は、放送端末３に所定の情報を発信させるためのプログラムであり、本実施例では、任意のテキストデータと、発光態様と、放送する放送端末３の位置情報と、を含む。
【００２９】
指示情報は、管理装置２において管理者により放送端末情報テーブルＴ１の情報に基づいて作成され、ゲートウェイ装置２２から該ゲートウェイ装置２２の通信可能エリアに対して送信される。すなわち、指示情報は、情報発信動作の対象となる放送端末３Ａの位置情報を含んでいる。尚、指示情報に含まれる放送端末３の位置情報は、１つまたは２つ以上の複数であってもよい。
【００３０】
前記指示情報は、ゲートウェイ装置２２の通信可能エリアに存在する他の放送端末３を１つまたは複数経由して放送端末３Ａに受信される。放送端末３Ａは、前記指示情報に基づいて所定の情報を発信する。具体的には、放送端末３Ａは、指示情報に含まれるテキストデータを音声データに変換してスピーカ３５からアナウンスし、発光態様にしたがってＬＥＤ照明３６を発光させる。
【００３１】
尚、管理装置２と放送端末３，３，…との相互通信は、管理装置２または放送端末３が指示情報や位置情報をブロードキャストするようになっていてもよいし、予め、放送端末３と放送端末３とのリレールートを指定して相互通信を行うようになっていてもよい。
【００３２】
次いで、放送端末３と通信デバイス４との通信について図２に基づいて概略的に説明する。
【００３３】
放送端末３は、その通信部３１の通信可能エリアに存在する通信デバイス４と無線通信して該通信デバイス４の識別情報と位置情報（座標）を読み取ることができ、放送端末３は、通信デバイス４の識別情報及び位置情報を読み取ると、該識別情報を管理装置２に送信するようになっている。図５（ｂ）に示されるように、通信デバイス４の識別情報を放送端末３から受信した管理装置２は、該放送端末３の位置情報と通信デバイス４の識別情報及び位置情報とを対応付けて記憶部２１ｃの通信デバイス情報テーブルＴ２に記憶する。尚、本実施例では、放送端末３が通信デバイス４から該通信デバイス４の識別情報と位置情報を読み取る形態を例示するが、通信デバイス４が該通信デバイス４の識別情報と位置情報を放送端末３に送信するようになっていてもよい。
【００３４】
次に、実際に放送端末３を用いて放送を行う形態を説明する。放送端末３が放送を行う形態としては、自動放送モードと手動放送モードとがある。
【００３５】
先ず、放送システム１の自動放送モードについて説明する。放送システム１の自動放送モードは、放送端末３の放送可能範囲内に通信デバイス４が位置したときに、管理装置２が予め記憶した指示情報を該放送端末３に対し自動的に送信するようになっており、該放送端末３が指示情報に従って放送を行うようになっている。
【００３６】
尚、本実施例の放送端末３の放送可能範囲は、放送端末３が設置されている各エリアＡ１〜Ａ１０の範囲を指し、管理装置２は、各放送端末３の位置情報を基に各エリアＡ１〜Ａ１０を区画して記憶している。また、放送端末３の放送可能範囲はそれぞれ同一の大きさであってもよいし、異なる大きさであってもよい。
【００３７】
自動放送モードにあっては、例えば、放送端末３Ａの放送可能範囲（ジェットコースターエリアＡ１）に通信デバイス４が位置したときに、管理装置２から放送端末３Ａに対して指示情報が自動的に送信され、放送端末３Ａはジェットコースターに関する情報の放送を行う。これによれば、放送端末３の放送可能範囲内にいる利用者に対して放送端末３の周囲の環境に応じた情報を確実に届けることができる。
【００３８】
また、自動放送モードをわかりやすく説明するために、放送システム１が駅等に配置された場合の例について説明する。例えば、利用者（通信デバイス４）が駅構内にいることを管理装置２が検知したときに、管理装置２が駅構内に設置された放送端末３に指示情報を送信し、当該放送端末３が「この先の階段を降りてください」という放送を行う。次いで、利用者が階段近傍にいることを管理装置２が検知したときに、管理装置２が階段に設置された放送端末３に指示情報を送信し、当該放送端末３が「このまま直進するとホームに到着します」という放送を行う。このようにすることで、利用者を目的地に向けて経路案内する放送を行うことができる。特に、避難時の避難経路を案内する放送等において有用である。
【００３９】
また、放送端末３の放送可能範囲内に位置する通信デバイス４が所定数以上（例えば、１０以上等）ある場合に、該放送端末３に対し指示情報を自動的に送信してもよい。これによれば、ある一定のエリアに利用者が集中したときに、他のエリアに誘導させるような放送を行うことができる。
【００４０】
次いで、放送システム１の手動放送モードについて説明する。尚、ここでは管理者が管理装置２において情報を発信させる放送端末３を選択する放送端末選択画面Ｐ１（操作画面）の一例を図６を用いて説明する。
【００４１】
図６に示されるように、管理装置２は、管理者の要求により放送端末選択画面Ｐ１を表示装置２３に表示する。本実施例の放送端末選択画面Ｐ１は、管理装置２における記憶部２１ｃ内に予め記憶された地図データＤと、放送端末３の設置位置を示す放送端末ボタン４０と、通信デバイス４の位置情報（黒点）と、を表示する。尚、放送端末ボタン４０は、管理者が選択可能となっている。
【００４２】
これにより、管理者は、地図データＤ上のどの位置に放送端末３があるか、地図データＤ上のどの位置に利用者がいるか（利用者の動向）を視覚的に把握しつつ、情報を発信させる放送端末３を選択することができるので、利用者に対して確実に情報を届けることができるようになっている。
【００４３】
例えば、図６に示されるように、ジェットコースターエリアＡ１とレストランエリアＡ４にいる利用者の一部をイベントエリアＡ５に誘導することができる。具体的には、管理者は、放送端末選択画面Ｐ１を見ることで、利用者がジェットコースターエリアＡ１とレストランエリアＡ４とに多く混雑していることが解かる。管理者は、ジェットコースターエリアＡ１とレストランエリアＡ４にある放送端末ボタン４０を選択するとともに、指示情報を作成する。この指示情報には、「今からイベントエリアＡ５にてイベントを開催します。待ち時間は現在ありません。」というテキストデータと、ＬＥＤ照明３６の発光態様とが含まれ、ジェットコースターエリアＡ１とレストランエリアＡ４とに向けて該指示情報が送信される。指示情報を受け取ったジェットコースターエリアＡ１及びレストランエリアＡ４の放送端末３が上記放送を行うことにより、待ち時間の少ないイベントエリアＡ５に利用者を誘導することができる。
【００４４】
また、放送端末３と通信デバイス４とが近距離無線通信により通信可能となっている。これによれば、管理装置２と通信デバイス４とが放送端末３を介して通信可能となるため、通信デバイス４の通信可能エリアが小さくて済み、通信デバイス４を安価な構成とすることができる。
【００４５】
また、通信デバイス４は、ＧＰＳ受信機能を有するＩＣチップ４ａを備え、通信デバイス４の座標を放送端末３を介して管理装置２に送信できるので、管理者は利用者の動向をリアルタイムで精密に把握することができる。
【００４６】
また、放送端末３は、設置されている位置情報を取得するＧＰＳ受信機３４を備えるので、放送端末３の設置位置の変更や増設しても管理装置２が放送端末３の新しい設置位置を確実に記憶できる。
【００４７】
また、管理装置２及び各放送端末３を相互通信可能に接続する無線通信網は、マルチホップ通信を用いたアドホックネットワークであり、専用の基地局を用いずに管理装置２と放送端末３，３，…とが相互に通信可能となっている。これによれば、管理装置２の通信可能エリア外の放送端末３であっても、他の放送端末３が中継器として機能して管理装置２と相互に通信可能となるため、専用の基地局を設けることなく低コストで広範囲を通信可能とすることができる。また、管理装置２と放送端末３、または放送端末３同士が直接通信するので、インターネット網を介して通信することに比べて通信速度が速い。
【００４８】
また、前記指示情報は、容量の小さいテキストデータを含み、放送端末３は、前記テキストデータを音声データに変換して放音するスピーカ３５であるので、管理装置及び放送端末間の指示情報の通信速度を高速にできる。
【００４９】
また、前述のように、各放送端末３のスピーカ３５及びＬＥＤ照明３６は、指向性が高く、限られたエリアに対して音声出力及び発光出力を行うことができるようになっているので、利用者のいる位置に応じたアナウンスや発光などの情報発信を高い精度で行うことができる。
【００５０】
例えば、図７に示されるように、３方向に分岐する通路において、紙面右側の通路を向く放送端末３’は、該通路から分岐部に向かって進む利用者（図７の黒矢印）に対して「観覧車エリアは右、ゴーカートエリアは左に進んで下さい。」というアナウンスを行う。一方、紙面左側の通路を向く放送端末３’’は、該通路から分岐部に向かって進む利用者（図７の白矢印）に対して「ゴーカートエリアは右、メリーゴーランドエリアは左に進んで下さい。」というアナウンスを行う。このように、各放送端末３のスピーカ３５は指向性が高いので、同一エリアにいる複数の利用者のうち任意の利用者に対して情報を発信することができる。
【００５１】
尚、本実施例では、通信デバイス４が利用者に携帯される形態を例示したが、例えば、自動車や電車などの移動体や持ち運び可能な物品などに取付けられてもよく、この場合、移動体や物品の動きを追跡することができる。
【００５２】
また、放送端末選択画面の変形例１として次のようなものもある。例えば、図８に示されるように、変形例１の放送端末選択画面Ｐ２は、各エリアＡ１〜Ａ１０の位置情報と、各エリアＡ１〜Ａ１０の位置情報に対応付けられ管理者が選択可能な複数の放送端末ボタン４０と、各エリアＡ１〜Ａ１０の付近に利用者が何人いるかを示す一覧表が表示される。これにより、管理者は、各エリアＡ１〜Ａ１０の混雑具合などを把握することができ、各放送端末３のうち任意の放送端末３を選択して放送を行うことができる。このように、必ずしも、地図データＤ上に放送端末３の位置情報と通信デバイス４の位置情報とを一覧表示しなくてもよい。
【００５３】
また、放送端末選択画面の変形例２として次のようなものもある。例えば、図９に示されるように、変形例２の放送端末選択画面Ｐ３は、遊園地を簡略化した地図データＤ’を備えており、各エリアＡ１〜Ａ１０に区画されており、それぞれのエリアＡ１〜Ａ１０を選択可能となっている。また、各エリアＡ１〜Ａ１０は、放送端末ボタン４０がそれぞれ選択可能に表示されているとともに、存在する利用者の人数に応じて色分けされている。尚、本変形例２では、エリア内に存在する利用者の人数が多いほど濃い色（ドット）で示されている。このように、放送端末選択画面（操作画面）上で利用者の正確な人数が解からなくてもよく、少なくとも任意のエリアに利用者がいるか否かを把握できるものであればよい。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、特定のエリアに利用者が集中することを回避するために利用者を誘導する情報を放送する形態を例示したが、それ以外の放送も行うことができる。例えば、火災や地震などの災害時に避難経路を周知する放送を行うことができる。また、例えば、正面ゲートエリアＡ９の放送端末３からどの順路で進めば待ち時間なく効率よくアトラクションを利用できるかを案内する放送を行うこともできる。
【００５６】
また、前記実施例では、通信デバイス４が放送端末３を介して管理装置２と通信可能となっている形態を例示したが、通信デバイス４が管理装置２と直接通信可能となっていてもよい。この場合であっても、管理装置２は、通信デバイス４の位置情報と放送端末３の位置情報とを対応付けて操作画面上に一覧表示できる。
【００５７】
また、前記実施例では、通信デバイス４がＧＰＳ受信機能を有する形態を例示したが、放送端末３と通信デバイス４とが無線通信可能となっていれば、通信デバイス４と無線通信した放送端末３の位置情報から通信デバイス４の位置情報を割り出すことができるので、通信デバイス４がＧＰＳ受信機能を有していなくてもよい。
【００５８】
また、前記実施例では、放送端末選択画面（操作画面）上で管理者が放送する放送端末３を個別に選択する形態を例示したが、エリア別に選択できるようになっていてもよい。
【００５９】
また、前記実施例では、管理者は管理装置２の管理コンピュータ２１を操作して指示情報を作成する形態を例示したが、管理者は形態するタブレット端末などから管理装置２にアクセスして指示情報を作成するようになっていてもよい。この場合、タブレット端末も操作画面として機能し、管理装置２の一部に含まれる。尚、タブレット端末はインターネット網を通じて管理装置２にアクセスできるようになっていてもよいし、Ｐ２Ｐ通信により管理装置２にアクセスできるようになっていてもよい。
【００６０】
また、前記実施例では、放送端末３がスピーカ３５及びＬＥＤ照明３６を備えている形態を例示したが、利用者に対して所定の情報を発信できるものであればよく、テキストデータや動画などを表示するディスプレイなどあってもよい。
【００６１】
また、前記実施例では、テキストデータを含む指示情報を任意の放送端末３に送信する形態を例示したが、予め放送端末３に音声態様、発光態様等を数パターン記録しておき、管理者は放送するパターン指定情報を含む指示情報を作成し、放送端末３はその指示情報に応じて放送を行うようになっていてもよい。
【符号の説明】
【００６２】
１                放送システム
２                管理装置
３，３Ａ          放送端末
４                通信デバイス
４ａ              ＩＣチップ（位置情報取得手段）
２３              表示装置
３４              ＧＰＳ受信機（位置情報取得手段）
３５              スピーカ
３６              ＬＥＤ照明
Ｄ，Ｄ’          地図データ
Ｐ１〜Ｐ３        放送端末選択画面（操作画面）
Ｔ１              放送端末情報テーブル
Ｔ２              通信デバイス情報テーブル
【図１】
2020161870.tif 000003
【図２】
2020161870.tif 000004
【図３】
2020161870.tif 000005
【図４】
2020161870.tif 000006
【図５】
2020161870.tif 000007
【図６】
2020161870.tif 000008
【図７】
2020161870.tif 000009
【図８】
2020161870.tif 000010
【図９】
2020161870.tif 000011